(57)【要約】【課題】通信時間および通信費用を削減することができるデータ記憶システムを提供すること。【解決手段】データを一時記憶する一時キャッシュ手段１０４と、データを予め定められた期間記憶する永続キャッシュ手段１０５と、データを一時キャッシュ手段１０４および永続キャッシュ手段１０５の何れに記憶させるかを選択するキャッシュ選択手段１０６と、データを一時キャッシュデータおよび永続キャッシュデータに分類するデータ分類手段１１０とを備える構成とすることにより、永続キャッシュデータの更新確認を省略できるようにした。【選択図】          図１
2004199105.tif 000002
【特許請求の範囲】
【請求項１】
車両に搭載する車載端末装置と、前記車載端末装置からの要求に応じてデータを前記車載端末装置に送信する情報センタとを有し、前記車載端末装置が、前記情報センタと通信する車載端末通信手段と、前記データを一時記憶する一時キャッシュ手段と、前記データを予め定められた期間記憶する永続キャッシュ手段と、前記車載端末通信手段により受信された前記データを前記一時キャッシュ手段および前記永続キャッシュ手段の何れに記憶させるかを選択するキャッシュ選択手段とを備え、前記情報センタが、前記車載端末装置と通信する情報センタ通信手段と、前記データを前記一時キャッシュ手段に記憶する一時キャッシュデータと前記永続キャッシュ手段に記憶する永続キャッシュデータとに分類するデータ分類手段とを備えたことを特徴とするデータ記憶システム。
【請求項２】
前記車載端末通信手段は、前記情報センタから前記データを受信するときにデータ分類情報を受信し、前記キャッシュ選択手段は、前記データ分類情報に基づいて前記車載端末通信手段により受信された前記データを前記一時キャッシュ手段および前記永続キャッシュ手段の何れに記憶させるかを選択するようにしたことを特徴とする請求項１に記載のデータ記憶システム。
【請求項３】
前記情報センタは、前記永続キャッシュ手段の空き容量を取得する空き容量取得手段を備えたことを特徴とする請求項１または請求項２に記載のデータ記憶システム。
【請求項４】
前記情報センタは、前記永続キャッシュ手段に記憶された前記永続キャッシュデータを削除するデータ削除手段を備えたことを特徴とする請求項１から請求項３までの何れかに記載のデータ記憶システム。
【請求項５】
データを送信する情報センタと通信する車載端末通信手段と、前記データを一時記憶する一時キャッシュ手段と、前記データを予め定められた期間記憶する永続キャッシュ手段と、前記データを前記一時キャッシュ手段および前記永続キャッシュ手段の何れに記憶させるかを選択するキャッシュ選択手段とを備えたことを特徴とする車載端末装置。
【請求項６】
車両に搭載する車載端末装置からの要求に応じてデータを前記車載端末装置に送信する情報センタ通信手段と、前記データを前記車載端末装置が一時記憶する一時キャッシュデータと前記車載端末装置が予め定められた期間記憶する永続キャッシュデータとに分類するデータ分類手段とを備えたことを特徴とする情報センタ。
【請求項７】
データを一時記憶する一時キャッシュデータと予め定められた期間記憶する永続キャッシュデータとに分類するデータ分類工程と、前記一時キャッシュデータを記憶する一時キャッシュデータ記憶工程と、前記永続キャッシュデータを記憶する永続キャッシュデータ記憶工程とを含むことを特徴とするデータ記憶方法。
【請求項８】
前記永続キャッシュデータを記憶する永続キャッシュ手段の空き容量を取得する空き容量取得工程を含むことを特徴とする請求項７に記載のデータ記憶方法。
【請求項９】
前記永続キャッシュデータ記憶工程において記憶された前記永続キャッシュデータを削除するデータ削除工程を含むことを特徴とする請求項７または請求項８に記載のデータ記憶方法。
【発明の詳細な説明】
【０００１】
【発明の属する技術分野】
本発明は、データ記憶システムに関し、さらに詳しくは、情報センタから送信されたデータを車載端末装置に記憶するデータ記憶システムに関する。
【０００２】
【従来の技術】
従来、この種のデータ記憶システムは、クライアントがサーバから取得したデータをクライアント側のキャッシュに一時的に記憶し、以後クライアントが要求したデータがクライアント側のキャッシュに記憶されているときは、記憶されたキャッシュデータを参照することにより、クライアントとサーバとの通信時間を短縮するようになっている（例えば、特許文献１参照）。
【特許文献１】
特開２００２−１０８６８６号公報（第４−５頁、第１図）
【０００３】
【発明が解決しようとする課題】
しかしながら、このような従来のデータ記憶システムでは、サーバから送出されたデータは、クライアント側のキャッシュに一時的に記憶された後、サーバ内で更新されている場合がある。したがって、クライアントは、クライアント側のキャッシュデータを参照するとき、常にサーバにアクセスし、該当データがクライアント側のキャッシュに記憶された後にサーバ内で更新されたか否かを更新情報により確認しなければならないので、通信時間および通信費用を必要とするという問題があった。
【０００４】
本発明は、このような問題を解決するためになされたものであり、データの更新情報の確認を省略することができ、通信時間および通信費用を削減することができるデータ記憶システムを提供するものである。
【０００５】
【課題を解決するための手段】
本発明のデータ記憶システムは、車両に搭載する車載端末装置と、前記車載端末装置からの要求に応じてデータを前記車載端末装置に送信する情報センタとを有し、前記車載端末装置が、前記情報センタと通信する車載端末通信手段と、前記データを一時記憶する一時キャッシュ手段と、前記データを予め定められた期間記憶する永続キャッシュ手段と、前記車載端末通信手段により受信された前記データを前記一時キャッシュ手段および前記永続キャッシュ手段の何れに記憶させるかを選択するキャッシュ選択手段とを備え、前記情報センタが、前記車載端末装置と通信する情報センタ通信手段と、前記データを前記一時キャッシュ手段に記憶する一時キャッシュデータと前記永続キャッシュ手段に記憶する永続キャッシュデータとに分類するデータ分類手段とを備えたことを特徴とする構成を有している。
【０００６】
この構成により、データ分類手段は、データを車載端末装置の一時キャッシュ手段に記憶する一時キャッシュデータと車載端末装置の永続キャッシュ手段に記憶する永続キャッシュデータとに分類するので、車載端末装置において永続キャッシュ手段に記憶された永続キャッシュデータを参照するときに、該当データの更新情報の確認を省略することができ、通信時間および通信費用を削減することができる。
【０００７】
また、本発明のデータ記憶システムは、前記車載端末通信手段は、前記情報センタから前記データを受信するときに、データ分類情報を受信し、前記キャッシュ選択手段は、前記データ分類情報に基づいて前記車載端末通信手段により受信された前記データを前記一時キャッシュ手段および前記永続キャッシュ手段の何れに記憶させるかを選択するようにしたことを特徴とする構成を有している。
【０００８】
この構成により、キャッシュ選択手段は、データ分類情報に基づいて情報センタから受信したデータを一時キャッシュ手段および永続キャッシュ手段の何れに記憶させるかを選択するので、一時キャッシュデータおよび永続キャッシュデータを確実に分類することができる。
【０００９】
また、本発明のデータ記憶システムは、前記情報センタは、前記永続キャッシュ手段の空き容量を取得する空き容量取得手段を備えたことを特徴とする構成を有している。
【００１０】
この構成により、情報センタは、永続キャッシュ手段の空き容量を取得することができる。
【００１１】
また、本発明のデータ記憶システムは、前記情報センタは、前記永続キャッシュ手段に記憶された前記永続キャッシュデータを削除するデータ削除手段を備えたことを特徴とする構成を有している。
【００１２】
この構成により、情報センタは、永続キャッシュ手段の空き容量が不足したときに、永続キャッシュ手段に記憶された永続キャッシュデータを削除することができる。
【００１３】
本発明の車載端末装置は、データを送信する情報センタと通信する車載端末通信手段と、前記データを一時記憶する一時キャッシュ手段と、前記データを予め定められた期間記憶する永続キャッシュ手段と、前記データを前記一時キャッシュ手段および前記永続キャッシュ手段の何れに記憶させるかを選択するキャッシュ選択手段とを備えたことを特徴とする構成を有している。
【００１４】
この構成により、キャッシュ選択手段は、情報センタが受信したデータを一時キャッシュ手段および永続キャッシュ手段の何れに記憶させるかを選択するので、一時キャッシュデータおよび永続キャッシュデータを分類することができる。
【００１５】
本発明の情報センタは、車両に搭載する車載端末装置からの要求に応じてデータを前記車載端末装置に送信する情報センタ通信手段と、前記データを前記車載端末装置が一時記憶する一時キャッシュデータと前記車載端末装置が予め定められた期間記憶する永続キャッシュデータとに分類するデータ分類手段とを備えたことを特徴とする構成を有している。
【００１６】
この構成により、データ分類手段は、データを車載端末装置が一時記憶する一時キャッシュデータと車載端末装置が予め定められた期間記憶する永続キャッシュデータとに分類するので、情報センタは、一時キャッシュデータおよび永続キャッシュデータを分類して管理することができる。
【００１７】
本発明のデータ記憶方法は、データを一時記憶する一時キャッシュデータと予め定められた期間記憶する永続キャッシュデータとに分類するデータ分類工程と、前記一時キャッシュデータを記憶する一時キャッシュデータ記憶工程と、前記永続キャッシュデータを記憶する永続キャッシュデータ記憶工程とを含むことを特徴とする方法を有している。
【００１８】
この方法により、データ分類工程において、データが一時キャッシュデータと永続キャッシュデータとに分類されることとなる。
【００１９】
また、本発明のデータ記憶方法は、前記永続キャッシュデータを記憶する永続キャッシュ手段の空き容量を取得する空き容量取得工程を含むことを特徴とする方法を有している。
【００２０】
この方法により、空き容量取得工程において、永続キャッシュデータを記憶する永続キャッシュ手段の空き容量が取得されることとなる。
【００２１】
また、本発明のデータ記憶方法は、前記永続キャッシュデータ記憶工程において記憶された前記永続キャッシュデータを削除するデータ削除工程を含むことを特徴とする方法を有している。
【００２２】
この方法により、データ削除工程において、永続キャッシュデータが削除されることとなる。
【００２３】
【発明の実施の形態】
以下、本発明の実施の形態について、図面を参照して説明する。
【００２４】
まず、本発明の実施の形態のデータ記憶システムの構成について説明する。
図１に示すように、本実施の形態のデータ記憶システム１００は、車両に搭載する車載端末装置１０１と、車載端末装置１０１からの要求に応じてデータを車載端末装置１０１に送信する情報センタ１０２とを有している。
【００２５】
車載端末装置１０１は、情報センタ１０２と通信する車載端末通信手段１０３と、データを一時記憶する一時キャッシュ手段１０４と、データを予め定められた期間記憶する永続キャッシュ手段１０５と、車載端末通信手段１０３により受信されたデータを一時キャッシュ手段１０４および永続キャッシュ手段１０５の何れに記憶させるかを選択するキャッシュ選択手段１０６と、車載端末装置１０１の全体の動作を制御する車載端末制御手段１０７と、画像および音響を出力する出力手段１０８とを備えている。
【００２６】
情報センタ１０２は、車載端末装置１０１と通信する情報センタ通信手段１０９と、データを一時キャッシュ手段１０４に記憶する一時キャッシュデータと永続キャッシュ手段１０５に記憶する永続キャッシュデータとに分類するデータ分類手段１１０と、データ分類手段１１０により分類された一時キャッシュデータおよび永続キャッシュデータを格納するデータ格納手段１１１と、情報センタ１０２の全体の動作を制御する情報センタ制御手段１１２と、永続キャッシュ手段１０５の空き容量を取得する空き容量取得手段１１３と、永続キャッシュ手段１０５に記憶された永続キャッシュデータを削除するデータ削除手段１１４とを備えている。
【００２７】
車載端末装置１０１および情報センタ１０２は、例えば、車載端末通信手段１０３および情報センタ通信手段１０９を介してインターネットに接続されている。情報センタ１０２は、車載端末装置１０１の要求に応じて、テキスト、グラフィック等のデータを含むコンテンツを車載端末装置１０１に提供するようになっている。コンテンツのデータは、例えば、情報センタ１０２と外部のコンテンツ配信装置とを接続することにより、または、情報センタ１０２にデータ入力装置を備えることにより、取得されるようになっている。また、車載端末通信手段１０３および情報センタ通信手段１０９は、例えば、ＴＣＰ／ＩＰ（ＴｒａｎｓｍｉｓｓｉｏｎＣｏｎｔｒｏｌ  Ｐｒｏｔｏｃｏｌ／Ｉｎｔｅｒｎｅｔ  Ｐｒｏｔｏｃｏｌ）、ＵＵＣＰ（Ｕｎｉｘ（登録商標）  ｔｏ  Ｕｎｉｘ（登録商標）  Ｃｏｐｙ  Ｐｒｏｔｏｃｏｌ）等の通信プロトコルにより、データを送受信するようになっている。なお、インターネットを介さず、車載端末装置１０１および情報センタ１０２を独自の通信プロトコルにより接続し、データを送受信するように構成してもよい。
【００２８】
また、キャッシュ選択手段１０６、車載端末制御手段１０７、データ分類手段１１０、情報センタ制御手段１１２、空き容量取得手段１１３、およびデータ削除手段１１４は、ＣＰＵ、ＲＡＭ、ＲＯＭ等で構成されている。
【００２９】
また、一時キャッシュ手段１０４および永続キャッシュ手段１０５は、例えば、半導体メモリで構成され、データの記憶および読み出しを高速で行うようになっている。また、一時キャッシュ手段１０４は、データを一時記憶するようになっている。また、一時キャッシュ手段１０４にデータを記憶するとき、記憶容量が不足している場合は、車載端末制御手段１０７により、例えば、一時キャッシュ手段１０４に記憶されたデータを記憶された順序、すなわち、最も古いデータから順に削除し、記憶容量を確保するようになっている。なお、車載端末装置１０１に供給される電源を切断したときに、一時キャッシュ手段１０４に記憶されたデータを削除するように構成してもよい。また、データを一時記憶するとは、一時キャッシュ手段１０４に記憶されたデータが記憶されてから削除されるまでの期間においてデータを保持しておくことをいう。
【００３０】
一方、永続キャッシュ手段１０５は、データを予め定められた期間記憶するようになっている。ここで、予め定められた期間とは、永続キャッシュ手段１０５にデータが記憶されてから上書きされるまで、または、データ削除手段１１４により削除されるまでの期間をいう。さらに、永続キャッシュ手段１０５は、車載端末装置１０１に供給される電源を切断しても、記憶内容に変化が生じない構成になっている。
【００３１】
また、出力手段１０８は、例えば、画像を表示する画像表示部および音響を出力する音響出力部により構成されている。画像表示部は、例えば、画像データバッファメモリ、画像信号処理回路、液晶ディスプレイ等で構成され、文字、記号、静止画、動画等を表示するようになっている。また、音響出力部は、例えば、音響信号バッファメモリ、音響信号増幅回路、スピーカ等で構成され、音声、音楽、効果音等を出力するようになっている。
【００３２】
また、データ分類手段１１０は、情報センタ１０２が予め取得したデータを一時キャッシュ手段１０４に記憶する一時キャッシュデータと永続キャッシュ手段１０５に記憶する永続キャッシュデータとに分類するようになっている。例えば、データ分類手段１１０が、キーボード、ジョイスティック等の入力部と、画像を表示する画像表示部と、音響を出力する音響出力部等とを備え、情報センタ１０２のオペレータが、データの内容を確認しながら入力部を操作することにより、データ更新の可能性が高いものを一時キャッシュデータに、データ更新の可能性が低いものを永続キャッシュデータにそれぞれ分類するようにしてもよい。また、データ分類手段１１０が、さらに、情報センタ１０２のオペレータの操作を学習する分類学習部を備え、分類学習部の学習結果に基づいてデータを一時キャッシュデータと永続キャッシュデータとに分類させるように構成してもよい。また、データの種類、例えば、データを構成するファイルの拡張子を参照してデータを一時キャッシュデータと永続キャッシュデータとに分類させる構成としてもよい。データ分類手段１１０により分類された結果は、データ分類手段１１０により、データ分類情報としてデータ格納手段１１１に格納されるようになっている。データ分類情報は、例えば、ＸＭＬ（Ｅｘｔｅｎｓｉｂｌｅ  Ｍａｒｋｕｐ  Ｌａｎｇｕａｇｅ）、ＨＴＭＬ（Ｈｙｐｅｒ  Ｔｅｘｔ  Ｍａｒｋｕｐ  Ｌａｎｇｕａｇｅ）等のマークアップ言語により記述される。
【００３３】
また、データ格納手段１１１は、例えば、磁気ディスク、光ディスク、半導体メモリ等で構成され、データ分類手段１１０により分類されたデータを格納するようになっている。この格納されたデータは、情報センタ制御手段１１２により読み出されるようになっている。
【００３４】
ここで、情報センタ１０２から送信されるコンテンツの具体例を挙げ、このコンテンツに含まれるデータの分類について説明する。
【００３５】
図２において、ＵＲＬ（Ｕｎｉｆｏｒｍ  Ｒｅｓｏｕｒｃｅ  Ｌｏｃａｔｏｒ）とは、リソースの位置を指し示す記述様式をいう。ＵＲＬ（Ａ）のコンテンツおよびＵＲＬ（Ｂ）のコンテンツは、それぞれ、ＨＴＭＬ文書Ａ２０２およびＨＴＭＬ文書Ｂ２０９を含んでいる。
【００３６】
ＨＴＭＬ文書Ａ２０２は、ＨＴＭＬ文書Ａ２０２のフォント、色、背景、テキスト、ボックス等の属性を指定するスタイルシートＡ２０３と、ＨＴＭＬ文書Ａ２０２上で、例えば、ボタンが押された場合の処理および簡単な演算処理等を実行するスクリプトタグＡ２０４と、ＧＩＦ（Ｇｒａｐｈｉｃｓ  Ｉｎｔｅｒｃｈａｎｇｅ  Ｆｏｒｍａｔ）で作成されたＧＩＦ画像データＡ２０５と、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）仕様で作成されたＪＰＥＧ画像データＡ２０６と、音響データＡ２０７と、ＵＲＬ（Ｂ）のコンテンツのリンク先を示すリンクデータ２０８とを含んでいる。なお、スタイルシートＡ２０３は、例えば、ＣＳＳ（Ｃａｓｃａｄｉｎｇ  Ｓｔｙｌｅ  Ｓｈｅｅｔｓ）仕様により記述され、スクリプトタグＡ２０４は、例えば、ジャバスクリプト（Ｊａｖａ（登録商標）Ｓｃｒｉｐｔ）言語により記述されている。
【００３７】
また、ＵＲＬ（Ｂ）のコンテンツのリンクデータ２０８のリンク先にあるＨＴＭＬ文書Ｂ２０９は、ＨＴＭＬ文書Ｂ２０９のフォント、色、背景、テキスト、ボックス等の属性を指定するスタイルシートＢ２１０と、ＧＩＦフォーマットで作成されたＧＩＦ画像データＢ２１１とを含んでいる。
【００３８】
次に、図２に示された各データを一時キャッシュデータと永続キャッシュデータとに分類したデータ分類情報の一例を表１に示す。表１において、ＵＲＬ（Ａ）のコンテンツに含まれるデータのうち、データ更新の可能性が高いデータが一時キャッシュデータに、データ更新の可能性が低いデータが永続キャッシュデータにそれぞれ分類されている。このデータ分類情報は、例えば、ＸＭＬにより記述され、データ格納手段１１１に格納される。なお、データ更新の可能性が高いデータとは、例えば、頻繁に内容が書き換えられるＨＴＭＬ文書のデータをいう。また、データ更新の可能性が低いデータとは、例えば、コンテンツが表示されたページを進めたり戻したりするＧＩＦ画像で表示されたボタンのデータをいう。
【００３９】
次に、図３を参照して、データの分類について具体例を説明する。図３において、出力手段１０８の画像表示部に表示されたコンテンツ「今日のニュース」のＨＴＭＬ文書３００が示され、ＧＩＦ画像で表示されたコンテンツのタイトル３０１と、テキストで表示された「○○○ニュース」の題名３０２および内容３０３と、「○○○ニュース」に関連したＪＰＥＧ画像の写真３０４と、コンテンツの最初のページに戻るとき操作するＧＩＦ画像の「ＴＯＰボタン」３０５と、前ページに戻るとき操作するＧＩＦ画像の「戻るボタン」３０６と、次ページに進むとき操作するＧＩＦ画像の「進むボタン」３０７とが表示されている。また、ＨＴＭＬ文書３００は、図示しないスタイルシート３０８およびスクリプトタグ３０９を含んでいる。スタイルシート３０８は、ＨＴＭＬ文書３００のフォント、色、テキスト等の属性を指定し、スクリプトタグ３０９は、「ＴＯＰボタン」３０５、「戻るボタン」３０６、および「進むボタン」３０７を操作することにより各ボタンに応じた動作を実行するよう記述されている。
【００４０】
前述のデータのうち、ＨＴＭＬ文書３００、「○○○ニュース」の題名３０２、「○○○ニュース」の内容３０３、ＪＰＥＧ画像の写真３０４、およびスタイルシート３０８は、刻々と変化するニュースに係わるデータなので、データ更新の可能性が高い。したがって、一時キャッシュデータに分類される。一方、タイトル３０１、「ＴＯＰボタン」３０５、「戻るボタン」３０６、「進むボタン」３０７、およびスクリプトタグ３０９は、頻繁に変更されるデータではないので、データ更新の可能性が低い。したがって、永続キャッシュデータに分類される。
【００４１】
次に、本実施の形態のデータ記憶システム１００の動作について、前述のＵＲＬ（Ａ）のコンテンツを例に挙げ、図４から図７までを参照して説明する。
【００４２】
最初に、図４を参照して、情報センタ１０２におけるデータの分類のステップについて、ＵＲＬ（Ａ）のコンテンツに含まれるデータの分類を例に挙げ説明する。
【００４３】
まず、情報センタ通信手段１０９により、ＵＲＬ（Ａ）のコンテンツが取得される（ステップＳ４０１）。このコンテンツの取得は、例えば、インターネットに接続されたコンテンツ配信装置から取得される。次いで、データ分類手段１１０により、取得されたＵＲＬ（Ａ）のコンテンツに含まれるデータが一時キャッシュデータと永続キャッシュデータとに分類される（ステップＳ４０２）。
【００４４】
ステップＳ４０２において、永続キャッシュデータに分類されたデータは、データ分類手段１１０により、永続キャッシュデータのリストにそのデータ名が追加され（ステップＳ４０３）、一時キャッシュデータに分類されたデータは、一時キャッシュデータのリストにそのデータ名が追加される（ステップＳ４０４）。そして、データ格納手段１１１により、分類されたデータ、永続キャッシュデータのリスト、および一時キャッシュデータのリストが格納される（ステップＳ４０５）。
【００４５】
次に、図５を参照して、車載端末装置１０１がコンテンツを情報センタ１０２に要求した後、出力手段１０８に出力されるまでのステップをＵＲＬ（Ａ）のコンテンツを例に挙げて説明する。
【００４６】
まず、車載端末制御手段１０７により、ＵＲＬ（Ａ）のコンテンツが要求される（ステップＳ５０１）。例えば、車載端末制御手段１０７にキーボード、ジョイスティック等を接続し、本システムの利用者が、出力手段１０８に表示されたメニュからキーボードまたはジョイスティック等で所望のコンテンツを選択できるように構成することにより、選択したコンテンツを要求することができる。
【００４７】
次いで、車載端末制御手段１０７により、ＵＲＬ（Ａ）のコンテンツのデータ構成が取得される（ステップＳ５０２）。このデータ構成は、前述の図２に示されたＵＲＬ（Ａ）のコンテンツに含まれるＨＴＭＬ文書Ａ２０２に記述された情報により取得することができるので、一時キャッシュ手段１０４、または永続キャッシュ手段１０５に記憶されたＨＴＭＬ文書Ａ２０２からデータ構成の情報が取得される。なお、このデータ構成の情報を情報センタ１０２から取得する構成としてもよい。
【００４８】
引き続き、車載端末制御手段１０７により、ＵＲＬ（Ａ）のコンテンツを構成するデータが永続キャッシュ手段１０５に記憶されているか否かが判断される（ステップＳ５０３）。ステップＳ５０３において、データが永続キャッシュ手段１０５に記憶されていると判断された場合は、車載端末制御手段１０７により、永続キャッシュ手段１０５からデータが読み出され（ステップＳ５０４）、さらに、一時キャッシュデータ確認処理を行う（ステップＳ５０５）。そして、出力手段１０８により、ＵＲＬ（Ａ）のコンテンツのデータが出力される（ステップＳ５１０）。なお、一時キャッシュデータ確認処理については後述する。
【００４９】
一方、ステップＳ５０３において、データが永続キャッシュ手段１０５に記憶されていると判断されなかった場合は、車載端末制御手段１０７により、車載端末通信手段１０３を介してコンテンツのデータが情報センタ１０２に要求される（ステップＳ５０６）。次いで、情報センタ通信手段１０９により、コンテンツのデータおよびデータ分類情報が送信され（ステップＳ５０７）、車載端末通信手段１０３により、コンテンツのデータおよびデータ分類情報が受信される（ステップＳ５０８）。次いで、データ記憶処理が実行される（ステップＳ５０９）。そして、前述のステップＳ５１０に進み、出力手段１０８により、ＵＲＬ（Ａ）のコンテンツのデータが出力される。なお、データ記憶処理については後述する。
【００５０】
次に、図６を参照して、一時キャッシュデータ確認処理について説明する。まず、車載端末制御手段１０７により、ＵＲＬ（Ａ）のコンテンツを構成するデータが一時キャッシュ手段１０４に記憶されているか否かが判断される（ステップＳ６０１）。ステップＳ６０１において、データが一時キャッシュ手段１０４に記憶されていると判断された場合は、一時キャッシュ手段１０４に記憶されたデータの更新情報が確認される（ステップＳ６０２）。この更新情報は、情報センタ制御手段１１２により管理されている。次いで、車載端末制御手段１０７により、一時キャッシュ手段１０４に記憶されたデータが情報センタ１０２において更新されているか否かが更新情報に基づいて判断される（ステップＳ６０３）。ステップＳ６０３において、一時キャッシュ手段１０４に記憶されたデータが情報センタ１０２において更新されていると判断されなかった場合は、一時キャッシュ手段１０４からデータが読み出され（ステップＳ６０４）、一時キャッシュデータ確認処理を終了する。
【００５１】
一方、ステップＳ６０１においてデータが一時キャッシュ手段１０４に記憶されていると判断されなかった場合、およびステップＳ６０３においてデータが更新されていると判断された場合は、車載端末制御手段１０７により、最新データが要求される（ステップＳ６０５）。そして、車載端末制御手段１０７により、一時キャッシュ手段１０４に記憶され（ステップＳ６０６）、一時キャッシュデータ確認処理を終了する。
【００５２】
次に、図７を参照して、データ記憶処理について説明する。まず、キャッシュ選択手段１０６により、受信したデータ分類情報に基づいてＵＲＬ（Ａ）のコンテンツに含まれるデータを一時キャッシュ手段１０４および永続キャッシュ手段１０５の何れに記憶させるかが選択される（ステップＳ７０１）。
【００５３】
ステップＳ７０１において、永続キャッシュ手段１０５に記憶されるよう選択されたデータ、すなわち、永続キャッシュデータは、永続キャッシュ手段１０５に記憶される前に、空き容量取得手段１１３により、永続キャッシュ手段１０５の空き容量が取得される（ステップＳ７０２）。ステップＳ７０２において、永続キャッシュ手段１０５の空き容量が不足し、永続キャッシュデータが記憶できない場合は、データ削除手段１１４により、永続キャッシュ手段１０５において過去に記憶された永続キャッシュデータが一つ以上削除され（ステップＳ７０３）、新たな永続キャッシュデータが記憶できるよう空き容量が確保される。そして、永続キャッシュデータが永続キャッシュ手段１０５に記憶され（ステップＳ７０４）、データ記憶処理を終了する。なお、過去に記憶された永続キャッシュデータに新たな永続キャッシュデータを上書きすることにより、新たな永続キャッシュデータを記憶するようにしてもよい。
【００５４】
一方、ステップＳ７０１において、一時キャッシュ手段１０４に記憶されるよう選択されたデータ、すなわち、一時キャッシュデータは、一時キャッシュ手段１０４に記憶され（ステップＳ７０５）、データ記憶処理を終了する。
【００５５】
したがって、永続キャッシュ手段１０５に記憶されたデータを出力するときは、従来のように該当データの更新情報を確認する必要がないので、車載端末装置１０１と情報センタ１０２との間における通信時間および通信費用を削減することができる。
【００５６】
なお、本実施の形態のデータ記憶システム１００が処理するデータは、前述のインターネットのコンテンツのデータに限定されるものではない。
【００５７】
また、前述のステップＳ７０１はデータ分類工程、ステップＳ７０２は空き容量取得工程、ステップＳ７０３はデータ削除工程、ステップＳ７０４は永続キャッシュデータ記憶工程、ステップＳ７０５は一時キャッシュデータ記憶工程をそれぞれ構成している。
【００５８】
以上のように、本実施の形態のデータ記憶システム１００によれば、データ分類手段１１０は、データを一時キャッシュ手段１０４に記憶する一時キャッシュデータと永続キャッシュ手段１０５に記憶する永続キャッシュデータとに分類する構成としたので、永続キャッシュ手段１０５に記憶された永続キャッシュデータを出力手段１０８に出力するときは、該当データの更新情報の確認を省略することができ、通信時間および通信費用を削減することができる。
【００５９】
【発明の効果】
以上説明したように、本発明によれば、車載端末装置において永続キャッシュ手段に記憶された永続キャッシュデータを参照するときに、該当データの更新情報の確認を省略することができ、通信時間および通信費用を削減することができるデータ記憶システムを提供することができる。
【図面の簡単な説明】
【図１】本発明の実施の形態のデータ記憶システムのブロック図
【図２】コンテンツの構成例を示す図
【図３】コンテンツの表示例を示す図
【図４】本発明の実施の形態のデータ記憶システムのデータ分類の各ステップのフローチャート
【図５】本発明の実施の形態のデータ記憶システムの各ステップのフローチャート
【図６】本発明の実施の形態のデータ記憶システムの一時キャッシュデータ確認処理ステップのフローチャート
【図７】本発明の実施の形態のデータ記憶システムのデータ記憶処理ステップのフローチャート
【符号の説明】
１００  データ記憶システム
１０１  車載端末装置
１０２  情報センタ
１０３  車載端末通信手段
１０４  一時キャッシュ手段
１０５  永続キャッシュ手段
１０６  キャッシュ選択手段
１０７  車載端末制御手段
１０８  出力手段
１０９  情報センタ通信手段
１１０  データ分類手段
１１１  データ格納手段
１１２  情報センタ制御手段
１１３  空き容量取得手段
１１４  データ削除手段
２０１  ＵＲＬ（Ａ）のコンテンツ
２０２  ＨＴＭＬ文書Ａ
２０３  スタイルシートＡ
２０４  スクリプトタグＡ
２０５  ＧＩＦ画像データＡ
２０６  ＪＰＥＧ画像データＡ
２０７  音響データＡ
２０８  ＵＲＬ（Ｂ）のコンテンツのリンクデータ
２０９  ＨＴＭＬ文書Ｂ
２１０  スタイルシートＢ
２１１  ＧＩＦ画像データＢ
３００  ＨＴＭＬ文書
３０１  コンテンツのタイトル
３０２  ニュースの題名
３０３  ニュースの内容
３０４  ニュースの写真
３０５  ＴＯＰボタン
３０６  戻るボタン
３０７  進むボタン
【図１】
2004199105.tif 000003
【図２】
2004199105.tif 000004
【図３】
2004199105.tif 000005
【図４】
2004199105.tif 000006
【図５】
2004199105.tif 000007
【図６】
2004199105.tif 000008
【図７】
2004199105.tif 000009
【手続補正書】
【提出日】平成16年3月23日(2004.3.23)
【手続補正１】
【補正対象書類名】明細書
【補正対象項目名】００３８
【補正方法】変更
【補正の内容】
【００３８】
次に、図２に示された各データを一時キャッシュデータと永続キャッシュデータとに分類したデータ分類情報の一例を表１に示す。表１において、ＵＲＬ（Ａ）のコンテンツに含まれるデータのうち、データ更新の可能性が高いデータが一時キャッシュデータに、データ更新の可能性が低いデータが永続キャッシュデータにそれぞれ分類されている。このデータ分類情報は、例えば、ＸＭＬにより記述され、データ格納手段１１１に格納される。なお、データ更新の可能性が高いデータとは、例えば、頻繁に内容が書き換えられるＨＴＭＬ文書のデータをいう。また、データ更新の可能性が低いデータとは、例えば、コンテンツが表示されたページを進めたり戻したりするＧＩＦ画像で表示されたボタンのデータをいう。
【表１】
2004199105.tif 000010
【手続補正２】
【補正対象書類名】図面
【補正対象項目名】全図
【補正方法】変更
【補正の内容】
【図１】
2004199105.tif 000011
【図２】
2004199105.tif 000012
【図３】
2004199105.tif 000013
【図４】
2004199105.tif 000014
【図５】
2004199105.tif 000015
【図６】
2004199105.tif 000016
【図７】
2004199105.tif 000017